【手続補正書】
【提出日】平成31年4月10日(2019.4.10)
【手続補正１】
【補正対象書類名】特許請求の範囲
【補正対象項目名】全文
【補正方法】変更
【補正の内容】
【特許請求の範囲】
【請求項１】
分析される標的からエアロゾル、煙、または蒸気を発生させ、前記エアロゾル、煙、または蒸気が検体を含むように構成される、第１のデバイスと、
真空チャンバ内に配置される、実質的に円筒形、管状、棒形状、コイル形状、螺旋状、または渦巻形状の衝突アセンブリと、
前記エアロゾル、煙、または蒸気を該衝突アセンブリに方向付け、複数の検体イオンを発生する、または解放するように、配置され適合されたデバイスと、を含む、
質量および／またはイオン移動度分析計。
【請求項２】
前記質量および／またはイオン移動度分析計は、
マトリクス分子を前記エアロゾル、煙、または蒸気に供給し、マトリクスによって希釈されるべきまたはマトリクスに溶解されるべき前記検体を発生させるように、配置され適合されたデバイスと、をさらに含み、
前記エアロゾル、煙、または蒸気を該衝突アセンブリに方向付けるように配置され適合されたデバイスは、
前記希釈されたまたは溶解された検体の検体液滴を前記衝突アセンブリ上に加速するように、配置され適合されたデバイスを含む、
請求項１に記載の質量および／またはイオン移動度分析計。
【請求項３】
前記検体イオンを分析するように配置された分析計であって、前記分析計は、前記真空チャンバに隣接した大気インターフェースをさらに含み、検体液滴は、前記大気インターフェースの両端の圧力差により前記衝突アセンブリ上に加速される、分析計と、をさらに含む、
請求項２に記載の質量および／またはイオン移動度分析計。
【請求項４】
前記衝突アセンブリを加熱するための加熱器または加熱コイルと、をさらに含む、
請求項１、２または３に記載の質量および／またはイオン移動度分析計。
【請求項５】
前記衝突アセンブリは、（ｉ）セラミック、（ｉｉ）非セラミック、（ｉｉｉ）ガラス、（ｉｖ）ガラスセラミック、（ｖ）石英、（ｖｉ）鋼鉄もしくはニッケルなどの金属、または（ｖｉｉ）鉄クロムアルミニウム（ＦｅＣｒＡｌ）合金、Ｋａｎｔｈａｌ、Ｎｉｋｒｏｔｈａｌ、もしくはＮｉｃｈｒｏｍｅなどの金属合金からなる群から選択される、外側衝突面であるか、または外側衝突面を備える、
請求項１〜４のいずれか１項に記載の質量および／またはイオン移動度分析計。
【請求項６】
前記第１のデバイスはレーザーを備える、請求項１〜５のいずれか１項に記載の質量および／またはイオン移動度分析計。
【請求項７】
前記第１のデバイスは、（ｉ）急速蒸発イオン化質量分析（「ＲＥＩＭＳ」）イオン源、（ｉｉ）脱離エレクトロスプレーイオン化（「ＤＥＳＩ」）イオン化源、（ｉｉｉ）レーザー脱離イオン化（「ＬＤＩ」）イオン源、（ｉｖ）熱脱離イオン源、（ｖ）レーザーダイオード熱脱離（「ＬＤＴＤ」）イオン源、（ｖｉ）脱離電気流集束（「ＤＥＦＦＩ」）イオン源、（ｖｉｉ）誘電体バリア放電（「ＤＢＤ」）プラズマイオン源、（ｖｉｉｉ）大気固体分析プローブ（「ＡＳＡＰ」）イオン源、（ｉｘ）超音波支援スプレーイオン化イオン源、（ｘ）簡単な大気ソニックスプレーイオン化（「ＥＡＳＩ」）イオン源、（ｘｉ）脱離大気圧光イオン化（「ＤＡＰＰＩ」）イオン源、（ｘｉｉ）ペーパースプレー（「ＰＳ」）イオン源、（ｘｉｉｉ）ジェット脱離イオン化（「ＪｅＤＩ」）イオン源、（ｘｉｖ）タッチスプレー（「ＴＳ」）イオン源、（ｘｖ）ナノＤＥＳＩイオン源、（ｘｖｉ）レーザー切除エレクトロスプレー（「ＬＡＥＳＩ」）イオン源、（ｘｖｉｉ）リアルタイム直接分析（「ＤＡＲＴ」）イオン化源、（ｘｖｉｉｉ）プローブエレクトロスプレーイオン化（「ＰＥＳＩ」）イオン源、（ｘｉｘ）固体プローブ支援エレクトロスプレーイオン化（「ＳＰＡ−ＥＳＩ」）イオン源、（ｘｘ）カビトロン超音波外科用吸引（「ＣＵＳＡ」）装置、（ｘｘｉ）ハイブリッドＣＵＳＡジアテルミー装置、（ｘｘｉｉ）集束または非集束超音波切除装置、（ｘｘｉｉｉ）ハイブリッド集束または非集束超音波切除およびジアテルミー装置、（ｘｘｉｖ）マイクロ波共振装置、（ｘｘｖ）パルスプラズマＲＦ解離装置、（ｘｘｖｉ）アルゴンプラズマ凝固装置、（ｘｘｖｉ）ハイブリッドパルスプラズマＲＦ解離およびアルゴンプラズマ凝固装置、（ｘｘｖｉｉ）ハイブリッドパルスプラズマＲＦ解離およびＪｅＤＩ装置、（ｘｘｖｉｉｉ）外科用水／生理食塩水ジェット装置、（ｘｘｉｘ）ハイブリッド・エレクトロスプレーおよびアルゴンプラズマ凝固装置、ならびに（ｘｘｘ）ハイブリッドアルゴンプラズマ凝固および水／生理食塩水ジェット装置からなる群から選択されたデバイスの一部、もしくはイオン源を備えるか、または形成する、
請求項１〜５のいずれか１項に記載の質量および／またはイオン移動度分析計。
【請求項８】
前記標的は、細菌コロニー、真菌コロニー、または生物組織もしくは生体液体、例えば唾液、血液、または膿などの生物物質を備える、
請求項１〜７のいずれか１項に記載の質量および／またはイオン移動度分析計。
【請求項９】
前記衝突アセンブリは第１の長手方向軸を有し、前記エアロゾル、煙、または蒸気は使用時に、実質的に前記第１の軸に直交する第２の軸に沿って前記衝突アセンブリ上に方向付けるように配置され適合される、
請求項１〜８のいずれか１項に記載の質量および／またはイオン移動度分析計。
【請求項１０】
前記マトリクスは、（ｉ）前記エアロゾル、煙、または蒸気のための溶媒、（ｉｉ）有機溶媒、（ｉｉｉ）揮発性化合物、（ｉｖ）極性または非極性分子、（ｖ）水、（ｖｉ）１つまたは複数のアルコール、（ｖｉｉ）メタノール、（ｖｉｉｉ）エタノール、（ｉｘ）イソプロパノール、（ｘ）アセトン、（ｘｉ）アセトニトリル、（ｘｉｉ）ジメチル・スルホキシド（ＤＭＳＯ）、（ｘｉｉｉ）グリコール、（ｘｉｖ）１−ブタノール、（ｘｖ）テトラヒドロフラン、（ｘｖｉ）エチルアセトン、（ｘｖｉｉ）エチレン・グリコール、（ｘｖｉｉｉ）アルデヒド、（ｘｉｘ）ケトン、（ｘｘ）ヘキサン、（ｘｘｉ）クロロホルム、および（ｘｘｉｉ）プロパノールからなる群から選択される、
請求項２〜９のいずれか１項に記載の質量および／またはイオン移動度分析計。
【請求項１１】
前記衝突アセンブリを保護するために、伸張した位置で前記衝突アセンブリを少なくとも部分的に包囲する、１つまたは複数の遮蔽物をさらに備える、
請求項１〜１０のいずれか１項に記載の質量および／またはイオン移動度分析計。
【請求項１２】
前記１つまたは複数の遮蔽物は、前記伸張した位置から、前記衝突アセンブリの少なくとも一部が前記１つまたは複数の遮蔽物によって包囲されない収縮した位置に、少なくとも部分的にまたは完全に収縮可能である、
請求項１１に記載の質量および／またはイオン移動度分析計。
【請求項１３】
（ｉ）単変量解析、（ｉｉ）多変量解析、（ｉｉｉ）主成分分析（ＰＣＡ）、（ｉｖ）線形判別分析（ＬＤＡ）、（ｖ）最大マージン基準（ＭＭＣ）、（ｖｉ）ライブラリに基づいた分析、（ｖｉｉ）クラス分類のためのソフト無しモデリング（ＳＩＭＣＡ）、（ｖｉｉｉ）因子分析（ＦＡ）、（ｉｘ）再帰分割（決定木）、（ｘ）ランダムフォレスト、（ｘｉ）独立成分分析（ＩＣＡ）、（ｘｉｉ）部分最小二乗判別分析（ＰＬＳ−ＤＡ）、（ｘｉｉｉ）潜在構造に対する直行（部分最小二乗）射影（ＯＰＬＳ）、（ｘｉｖ）ＯＰＬＳ判別分析（ＯＰＬＳ−ＤＡ）、（ｘｖ）サポートベクトルマシン（ＳＶＭ）、（ｘｖｉ）（人工）神経回路網、（ｘｖｉｉ）多層パーセプトロン、（ｘｖｉｉｉ）放射基底関数（ＲＢＦ）網、（ｘｉｘ）ベイズ解析、（ｘｘ）クラスタ分析、（ｘｘｉ）カーネル法、（ｘｘｉｉ）部分判別分析、（ｘｘｉｉｉ）ｋ近傍法（ＫＮＮ）、（ｘｘｉｖ）二次判別分析（ＱＤＡ）、（ｘｘｖ）確立的主成分分析（ＰＰＣＡ）、（ｘｘｖｉ）非負値行列因子分解、（ｘｘｖｉｉ）ｋ平均因子分解、（ｘｘｖｉｉｉ）ファジーｃ平均因子分解、および（ｘｘｉｘ）判別分析（ＤＡ）のうちの１つまたは複数を使用して、前記エアゾル、煙、または蒸気を分類するように、１つまたは複数のサンプルスペクトルを分析するデバイスをさらに含む、
請求項１〜１２のいずれか１項に記載の質量および／またはイオン移動度分析計。
【請求項１４】
真空チャンバ内に配置される、実質的に円筒形、管状、棒形状、コイル形状、螺旋状、または渦巻形状の衝突アセンブリを提供するステップと、
分析される標的からエアロゾル、煙、または蒸気を発生させるための第１のデバイスを使用するステップであって、前記エアロゾル、煙、または蒸気が検体を含む、使用するステップと、
前記エアロゾル、煙、または蒸気を該衝突アセンブリに方向付け、複数の検体イオンを発生する、または解放するためのデバイスを使用するステップと、を含む、
質量分析および／またはイオン移動度分析の方法。
【請求項１５】
前記質量分析および／またはイオン移動度分析の方法は、
マトリクス分子を前記エアロゾル、煙、または蒸気に供給し、マトリクスによって希釈されるべきまたはマトリクスに溶解されるべき前記検体を発生させるステップと、をさらに含み、
前記エアロゾル、煙、または蒸気を該衝突アセンブリに方向付けるためのデバイスを使用するステップは、前記希釈されたまたは溶解された検体の検体液滴を前記衝突アセンブリ上に加速するステップを含む、
請求項１４に記載の質量分析および／またはイオン移動度分析の方法。
【請求項１６】
前記検体イオンを分析するステップであって、このとき、前記検体液滴は、大気インターフェースの両端の圧力差により前記衝突アセンブリ上に加速される、分析するステップと、をさらに含む、
請求項１５に記載の質量分析および／またはイオン移動度分析の方法。
【請求項１７】
前記衝突アセンブリを加熱するステップと、をさらに含む、
請求項１４、１５または１６に記載の質量分析および／またはイオン移動度分析の方法。
【請求項１８】
前記衝突アセンブリは、（ｉ）セラミック、（ｉｉ）非セラミック、（ｉｉｉ）ガラス、（ｉｖ）ガラスセラミック、（ｖ）石英、（ｖｉ）鋼鉄もしくはニッケルなどの金属、または（ｖｉｉ）鉄クロムアルミニウム（ＦｅＣｒＡｌ）合金、Ｋａｎｔｈａｌ、Ｎｉｋｒｏｔｈａｌ、もしくはＮｉｃｈｒｏｍｅなどの金属合金からなる群から選択される、外側衝突面であるか、または外側衝突面を備える、
請求項１４〜１７のいずれか１項に記載の質量分析および／またはイオン移動度分析の方法。
【請求項１９】
前記第１のデバイスは、（ｉ）急速蒸発イオン化質量分析（「ＲＥＩＭＳ」）イオン源、（ｉｉ）脱離エレクトロスプレーイオン化（「ＤＥＳＩ」）イオン化源、（ｉｉｉ）レーザー脱離イオン化（「ＬＤＩ」）イオン源、（ｉｖ）熱脱離イオン源、（ｖ）レーザーダイオード熱脱離（「ＬＤＴＤ」）イオン源、（ｖｉ）脱離電気流集束（「ＤＥＦＦＩ」）イオン源、（ｖｉｉ）誘電体バリア放電（「ＤＢＤ」）プラズマイオン源、（ｖｉｉｉ）大気固体分析プローブ（「ＡＳＡＰ」）イオン源、（ｉｘ）超音波支援スプレーイオン化イオン源、（ｘ）簡単な大気ソニックスプレーイオン化（「ＥＡＳＩ」）イオン源、（ｘｉ）脱離大気圧光イオン化（「ＤＡＰＰＩ」）イオン源、（ｘｉｉ）ペーパースプレー（「ＰＳ」）イオン源、（ｘｉｉｉ）ジェット脱離イオン化（「ＪｅＤＩ」）イオン源、（ｘｉｖ）タッチスプレー（「ＴＳ」）イオン源、（ｘｖ）ナノＤＥＳＩイオン源、（ｘｖｉ）レーザー切除エレクトロスプレー（「ＬＡＥＳＩ」）イオン源、（ｘｖｉｉ）リアルタイム直接分析（「ＤＡＲＴ」）イオン化源、（ｘｖｉｉｉ）プローブエレクトロスプレーイオン化（「ＰＥＳＩ」）イオン源、（ｘｉｘ）固体プローブ支援エレクトロスプレーイオン化（「ＳＰＡ−ＥＳＩ」）イオン源、（ｘｘ）カビトロン超音波外科用吸引（「ＣＵＳＡ」）装置、（ｘｘｉ）ハイブリッドＣＵＳＡジアテルミー装置、（ｘｘｉｉ）集束または非集束超音波切除装置、（ｘｘｉｉｉ）ハイブリッド集束または非集束超音波切除およびジアテルミー装置、（ｘｘｉｖ）マイクロ波共振装置、（ｘｘｖ）パルスプラズマＲＦ解離装置、（ｘｘｖｉ）アルゴンプラズマ凝固装置、（ｘｘｖｉ）ハイブリッドパルスプラズマＲＦ解離およびアルゴンプラズマ凝固装置、（ｘｘｖｉｉ）ハイブリッドパルスプラズマＲＦ解離およびＪｅＤＩ装置、（ｘｘｖｉｉｉ）外科用水／生理食塩水ジェット装置、（ｘｘｉｘ）ハイブリッド・エレクトロスプレーおよびアルゴンプラズマ凝固装置、ならびに（ｘｘｘ）ハイブリッドアルゴンプラズマ凝固および水／生理食塩水ジェット装置からなる群から選択されたデバイスの一部、もしくはイオン源を備えるか、または形成する、
請求項１４〜１８のいずれか１項に記載の質量分析および／またはイオン移動度分析の方法。